(57)【要約】      （修正有）【課題】杖の下端が摩擦の損傷を減らす構造をもち、地面の角度に応じて動くため安定した支持力を得ることができ、さらに長く使用することができる、杖の接地支持構造を提供する。【解決手段】本杖の接地支持構造は、杖の下端の管状開口と接地部材４０の弧状ガイド面４１とを当接させ、内ガイドブロック５０の上弧面に設けた環状溝に連結された耐摩耗性リング５３を弧状ガイド面の内壁に当接させ、弧状ガイド面の中孔を通した結合部材を管状開口内に連結させてなる。【選択図】図４
0003173054.tif 000002
【実用新案登録請求の範囲】
【請求項１】
杖の下端の管状開口と接地部材の弧状ガイド面とを当接させ、内ガイドブロックの上弧面に設けた環状溝に連結された耐摩耗性リングを弧状ガイド面の内壁に当接させ、弧状ガイド面の中孔を通した結合部材を管状開口内に連結させてなる、杖の接地支持構造であって、
耐摩耗性リングにより、接地部材の弧状ガイド面が管状開口でスライドし、それにより、地面の角度に対応する支持構造が形成されることを特徴とする、杖の接地支持構造。
【請求項２】
結合部材はボルトであり、ボルトは、内ガイドブロックの中心の二段階孔から上に向かって穿設されるとともに、接地棒の下端の内部凸縁が形成するネジ孔に螺合され、また、内ガイドブロックに連結された耐摩耗性リングは低摩擦のテフロン（登録商標）材質であることを特徴とする、請求項１に記載の杖の接地支持構造。
【請求項３】
接地部材の弧状ガイド面の周囲には、内ネジ山を有する結合凸縁を下向きに凸設し、結合凸縁の内ネジ山には、緩衝ブロックに凸設された結合部の外ネジ山を螺合させることを特徴とする、請求項２に記載の杖の接地支持構造。
【請求項４】
杖の下端にはカバー管を被せ、  カバー管の下端開口には遮蔽縁部を形成させ、遮蔽縁部にはバネを連結させ、カバー管におけるバネ上側の上段管壁にはピン孔を設け、縦方向導孔が貫設された接地棒の下段部をカバー管に差込み、それにより対応した縦方向導孔とピン孔にピンを差し込むことにより、弾性伸縮構造が形成されることを特徴とする、請求項１、または、請求項２、または、請求項３に記載の杖の接地支持構造。
【考案の詳細な説明】
【技術分野】
【０００１】
本考案は、杖の下端を地面の角度に対応させることができ、回転部材の摩擦損傷を減らし、長く使用することができる、杖の接地支持構造に関する。
【背景技術】
【０００２】
図１は、従来の杖の構造を示した斜視図である。従来の杖１０は、二本の棒の間の下端に接地棒１１を結合し、中段に握るための握り棒１２を横向きに結合してなる。また、使用する時に、接地棒１１の下端にゴムカバー１１１を結合させて、地面に接触させることにより、体の重量を支えさせる。
【０００３】
上述した従来の杖の接地棒１１の下端に結合されたゴムカバー１１１は、固定して連結された構造であり、その下端と地面が接触した時、異なる地面の角度にぴったりと接触させることができず、支持の安定性が悪くなることが従来の杖の欠点の一つとなっている。
【０００４】
また、従来の杖１０の接地棒１１は長さが固定された棒体であり、緩衝設計がなされず地面に接触させた時に生じる衝撃は直接体に伝わり、体が心地悪くなるとともに、使用していると疲れやすくなることが、従来の杖の二つ目の欠点となっている。
【考案の概要】
【考案が解決しようとする課題】
【０００５】
そこで、本考案は、杖の下端が摩擦の損傷を減らす構造をもち、地面の角度に応じて動くため安定した支持力を得ることができ、さらに長く使用することができる、杖の接地支持構造を提供することを目的とする。
【０００６】
また、本考案は、弾性緩衝の接地支持構造をもつため使用の快適性が向上し、複数の使用進歩性を達成することが可能な杖の接地支持構造を提供することを目的とする。
【課題を解決するための手段】
【０００７】
上述の目的を達成するために、本考案による杖の接地支持構造は、杖の下端の管状開口と接地部材の弧状ガイド面とを当接させ、内ガイドブロックの上弧面に設けた環状溝に連結された耐摩耗性リングを弧状ガイド面の内壁に当接させ、弧状ガイド面の中孔を通した結合部材を管状開口内に連結させてなる。耐摩耗性リングにより、接地部材の弧状ガイド面が管状開口でスライドし、それにより、地面の角度に対応する支持構造が形成される。その内、結合部材はボルトであり、ボルトは、内ガイドブロックの中心の二段階孔から上に向かって穿設されるとともに、接地棒の下端の内部凸縁が形成するネジ孔に螺合され、また、内ガイドブロックに連結された耐摩耗性リングは低摩擦のテフロン（登録商標）材質である。その内、接地部材の弧状ガイド面の周囲には、内ネジ山を有する結合凸縁を下向きに凸設し、結合凸縁の内ネジ山には、緩衝ブロックに凸設された結合部の外ネジ山を螺合させる。その内、杖の下端にはカバー管を被せ、  カバー管の下端開口には遮蔽縁部を形成させ、遮蔽縁部にはバネを連結させ、カバー管におけるバネ上側の上段管壁にはピン孔を設け、縦方向導孔が貫設された接地棒の下段部をカバー管に差込み、それにより対応した縦方向導孔とピン孔にピンを差し込んで位置決めする。
【図面の簡単な説明】
【０００８】
【図１】従来の杖の構造を示した斜視図である。
【図２】本考案の構成を示した分解斜視図である。
【図３】本考案を組み合わせた状態を示した斜視図である。
【図４】本考案の緩衝ブロックが、地面の角度に応じて角度が回転する動作を示した説明図である。
【考案を実施するための形態】
【０００９】
図２は、本考案の構成を示した分解斜視図であり、図３は、本考案を組み合わせた状態を示した斜視図である。本考案は、主に、杖２０の下端に、カバー管３０と、接地部材４０と、内ガイドブロック５０と、を設けてなる。
【００１０】
杖２０の下端に結合させた接地棒２１の下段管壁には、ピン２３が穿設される縦方向導孔２２が貫設され、接地棒２１の下端の開口には端蓋２４が連結される。
【００１１】
図４に示すように、カバー管３０の下端の開口の上側は、ネジ孔３２を有する遮蔽縁部３１を形成し、遮蔽縁部３１にはバネ３３が連結され、カバー管３０におけるバネの上側の上段の管壁にはピン孔３４が設けられる。
【００１２】
接地部材４０には、中孔４１１を有する弧状ガイド面４１が上に向かって凸設され、弧状ガイド面の外周縁には、内ネジ山を有する下凸縁４２が下に向かって凸設される。緩衝ブロック４３には、外ネジ山を有する結合部４３１が凸設され、それにより、下凸縁４２と組み合わせることができる。
【００１３】
内ガイドブロック５０は、弧状ガイド面４１内壁に対応する上弧面を形成したブロック体であり、内ガイドブロック５０の上弧面には環状溝５１が設けられ、それにより、テフロン（登録商標）材質からなる耐摩耗性リング５３を連結させることができる。内ガイドブロック５０の中心の二段階孔５２から、ボルト部材５４を上に向かって弧状ガイド面の中孔まで穿設し、接地棒の下端と結合させる。
【００１４】
図４の断面図に示すように、上述の構造を組み合わせるには、端蓋２４を結合させた接地棒２１をカバー管３０内に差込み、バネ３３を圧迫させて、その縦方向導孔２２とカバー管３０のピン孔３４を対応させ、ピン２３を穿設して結合させる。また、内ガイドブロック５０に連結したボルト部材５４を、接地部材４０の弧状ガイド面４１の中孔４１１に穿設し、カバー管３０の下端の遮蔽縁部３１のネジ孔３２に螺合する。内ガイドブロック５０に連結された耐摩耗性リング５３により、弧状ガイド面４１がカバー管３０の管状開口でスライドし、図３に示すように、接地部材４０の角度を動かすことができ、弾性支持の杖構造を備えさせることができる。
【００１５】
図４の右の図に示すように、カバー管３０と接地部材４０の弧状ガイド面４１の間は、内ガイドブロック５０に連結したテフロン（登録商標）材質からなる耐摩耗性リング５３により結合されるため、接地部材４０は弧状ガイド面４１により任意の方向に角度を回転させることができる。それにより、地面の異なる傾斜角度にぴったりと貼りついて安定した支持力を得ることができる。また、耐摩耗性リング５３のテフロン（登録商標）材質からなる低磨擦特性により、接地部材４０が回転するときの相互の磨損をおさえることができ、長く使用できるという進歩性を達成することができる。
【００１６】
上述した本考案による「杖の接地支持構造」は、回転部材の摩擦の磨損を減らせる耐摩耗性リングにより接地部材を杖の接地棒の下端に組み合わせることで、地面の角度に適応させることができるため安定した支持を得ることができ、さらに、長く使用することができるという複数の使用進歩性を備えさせることができる。
【符号の説明】
【００１７】
（従来技術）
１０      従来の杖          
１１      接地棒          
１１１    ゴムカバー              
１２      握り棒              
（本考案）
２０      杖            
２１      接地棒      
２２      縦方向導孔
２３      ピン            
２４      端蓋          
３０      カバー管
３１      遮蔽縁部            
３２      ネジ孔          
３３      バネ
３４      ピン孔            
４０      接地部材      
４１      弧状ガイド面
４１１    中孔          
４２      下凸縁      
４３      緩衝ブロック
４３１    結合部      
５０      内ガイドブロック      
５１      環状溝
５２      二段階孔        
５３      耐摩耗性リング      
５４      ボルト部材
【図１】
0003173054.tif 000003
【図２】
0003173054.tif 000004
【図３】
0003173054.tif 000005
【図４】
0003173054.tif 000006